(57)【要約】      （修正有）【課題】吊上げ装置により一度に複数のコンクリートブロックを吊上げることができるようにしたコンクリートブロック集合体用コンクリートブロックを提供する。【解決手段】コンクリートブロック集合体用コンクリートブロック１０は、上下連結方向の両端面に凹部１１を、かつ、横連結方向の両端面に凸部１２を有している。コンクリートブロック集合体はコンクリートブロック集合体用コンクリートブロック１０を１列に並べてブロックマット化する。コンクリートブロック集合体は、２箇所のワイヤ用貫通孔２０が連結用ワイヤで連通するように併設された複数個のコンクリートブロック集合体用コンクリートブロック１０と、ワイヤ用貫通孔２０を貫通する１本の連結用ワイヤとから構成されている。連結されるコンクリートブロック集合体用コンクリートブロックの連結数は、搬送車両の運搬能力等に応じて適宜選定することができる。【選択図】図１
0003165566.tif 000002
【実用新案登録請求の範囲】
【請求項１】
ワイヤ用貫通穴を有するコンクリートブロックを複数個配列し、前記ワイヤ用貫通穴を貫通させた連結用ワイヤで連結し、前記連結用ワイヤの両端部を引き上げることにより配列されたコンクリートブロックを同時に吊上げることでコンクリートブロック集合体となるコンクリートブロックであって、
前記コンクリートブロックは上下連結する両端面に凹部を有することを特徴とするコンクリートブロック集合体用のコンクリートブロック。
【請求項２】
2箇所の前記ワイヤ用貫通穴を備え、前記２箇所のワイヤ用貫通穴を貫通させた１本の連結用ワイヤで連結することを特徴とする請求項１に記載のコンクリートブロック集合体用のコンクリートブロック。
【請求項３】
前記コンクリートブロックは、横連結する両端面に凸部を有することを特徴とする請求項１または請求項２に記載のコンクリートブロック集合体用のコンクリートブロック。
【請求項４】
前記横連結する両端面の凸部にＵ字ブロック用貫通孔を有することを特徴とする請求項３記載のコンクリートブロック集合体用のコンクリートブロック。
【考案の詳細な説明】
【技術分野】
【０００１】
本考案は、護岸工事や法面の補強工事において、吊上げ装置により一度に複数のコンクリートブロックを吊上げることができるようにしたコンクリートブロック集合体用コンクリートブロックに関する。
【背景技術】
【０００２】
従来のコンクリートブロック集合体による工法は、ワイヤで連結された複数のコンクリートブロックを一度に吊上げて所定の位置に並べることができるため、コンクリートブロックを１個毎並べる以前からの工法と比較して作業性が良好であった。ここでコンクリートブロック集合体をブロックマットともいう。また、個々のコンクリートブロックをワイヤで連結する作業をブロックマット化という。
【０００３】
２つのコンクリートブロック集合体を縦方向に連結する際には、第１のコンクリートブロック集合体から出たワイヤ余端部と第２のコンクリートブロック集合体の端部から出たワイヤ余端部とを相互に連結させるため、第１のコンクリートブロック集合体と、第２のコンクリートブロック集合体を連結するための凹部を備えた連結ブロックが必要であった。
本明細書においては、複数のコンクリートブロック集合体（ブロックマット）をコンクリートブロック集合体用コンクリートブロックの連結方向（縦方向）に連結することを上下連結と定義する。また複数のコンクリートブロック集合体（ブロックマット）を横方向に連結することを横連結と定義する。
【０００４】
コンクリートブロック集合体は工場で多量に生産が可能であり、しかも運搬用の車両に積載できる大きさと重量を有しているものであった。護岸工事や法面の補強工事において、複数のコンクリートブロック集合体を縦横に連結することにより、一度に多数のコンクリートブロックが連結できるので、コンクリートブロックを１個毎並べる以前からの工法と比較して、作業効率を向上させることができ、しかも、連結ブロックには蓋材を取り着けたので、外観を損なうことがないというものであった（特許文献１）。
【先行技術文献】
【特許文献】
【０００５】
【特許文献１】特許公報  第２６８８８９１号
【考案の概要】
【考案が解決しようとする課題】
【０００６】
しかしながら、複数のコンクリートブロックを、貫通ワイヤをコンクリート孔に通してワイヤで連結してブロックマット化し、貫通したワイヤの両端部を引き上げることにより、連結された複数のコンクリートブロックを同時に吊上げるようにしたコンクリートブロック集合体は、１本のワイヤをブロックに穿設した２箇所の貫通孔を貫通させることによりコンクリートブロックを連結する。このため、コンクリートブロック集合体の片方の端部でワイヤを１８０度曲げることになる。
【０００７】
本発明に用いるワイヤ（φ１５程度）のような硬くて強靭な部材は、コンクリートブロック集合体の端部にある２つの貫通孔にワイヤを通すために１８０度曲げた際、コンクリートブロックの端部からある程度はみ出ることとなり、ワイヤ余端部が出来る。ワイヤ余端部はワイヤを最初に通す側においても、挿入したワイヤの端部とコンクリートブロック集合体を連通して出てきたワイヤの端部をワイヤクリップにて纏めることで出来る。このワイヤ余端部のため、コンクリートブロック集合体をコンクリートブロックの連結方向（縦方向）に連結するためには、法面保護資材としての強度及び一体性の確保という観点より、コンクリートブロック集合体とコンクリートブロック集合体との間に生じる空間を無くす必要がある。かかる空間を無くすために連結ブロックを必要としていたのである。
【０００８】
さらに、連結ブロックの上面に外観を損なうことに無いように、凹陥部を閉鎖する蓋材を取付ける必要があった。取付作業の際には連結ブロックと第１のコンクリートブロック集合体と第２のコンクリートブロック集合体の一体性を確保するために、第１のコンクリートブロック集合体のワイヤ余端部と第２のコンクリートブロック集合体のワイヤ余端部とをワイヤクリップで連結した後、さらに連結ブロック部が他のブロック部と比較して軽量にならないようにするため、生コンを連結ブロック部に打設してから蓋材を取着ける必要がある。連結ブロックの箇所の体積は護岸工事現場全体から見て、極めて僅かな体積しか無いのであるが、この僅かな体積のためにのみ、わざわざ生コンを準備しなければならなかったのである。
【０００９】
また、上下連結したコンクリートブロック集合体を横方向に並べて施工する際、法面保護資材としての強度及び一体性を確保する必要があり、コンクリートブロック集合体同士を横方向にも連結していた。
【００１０】
実際の護岸工事では、複数のコンクリートブロック集合体を、上端部と下端部については横方向連結用ワイヤとコンクリートブロック用ワイヤをワイヤクリップにて連結し、上端部と下端部以外の箇所は、ブロック開口部のワイヤを連結するための連結チェーンにて連結を行うことで強度と一体性を確保していた。かかる連結作業は、ブロック開口部に十分なスペースが無いため、狭い空間内での作業となり、護岸工事の際の作業が困難であるという問題があった。さらに、連結チェーンはコンクリートブロックとコンクリートブロックを最短距離で連結するものではないため、すなわちコンクリートブロックの最上部を通過させなければならないため、横方向の連結においてはコンクリートブロックの位置ズレを制御しにくいものであった。
【００１１】
本発明は、コンクリートブロック集合体とコンクリートブロック集合体との間に生じる空間を無くすための連結ブロックを要することなく、護岸工事を行うことの出来るコンクリートブロック集合体用コンクリートブロックを提供することを目的とする。
【課題を解決するための手段】
【００１２】
上記課題を解決するために、本考案は、ワイヤ用貫通穴を有するコンクリートブロックを複数個併設し、前記ワイヤ用貫通穴を貫通させた連結用ワイヤで連結し、前記連結用ワイヤの両端部を引き上げることにより併設されたコンクリートブロックを同時に吊上げるようにしたコンクリートブロック集合体用のコンクリートブロックであって、前記コンクリートブロックは上下連結する両端部に凹部を有することを特徴とするコンクリートブロック集合体用のコンクリートブロックとした。
【００１３】
上記課題を解決するために、本考案は、２箇所のワイヤ用貫通穴を有するコンクリートブロックを複数個併設し、前記２箇所のワイヤ用貫通穴を貫通させた１本の連結用ワイヤで連結し、前記連結用ワイヤの両端部を引き上げることにより併設されたコンクリートブロックを同時に吊上げるようにしたコンクリートブロック集合体用のコンクリートブロックであって、
前記コンクリートブロックは上下連結する両端面に凹部を有することを特徴とするコンクリートブロック集合体用のコンクリートブロックとした。
【００１４】
上記課題を解決するために、本考案は、前記コンクリートブロックは、横連結する両端面に凸部を有することを特徴とするコンクリートブロック集合体用のコンクリートブロックとした。
【００１５】
上記課題を解決するために、本考案は、前記横連結する両端面の凸部にはＵ字ボルト用貫通孔を有することを特徴とするコンクリートブロック集合体用のコンクリートブロックとした。
【考案の効果】
【００１６】
コンクリートブロック集合体用コンクリートブロックは、上下連結方向の両側端部に凹部を有することで、コンクリートブロック集合体を上下連結する際、ワイヤ余端部が凹部内に収まるので、空間を無くすための連結ブロックを設置する必要が無くなった。すなわち、連結ブロックを設置し、連結ブロック部が他のブロック部と比較して軽量にならないようにするための、生コンを打設する作業が無くなった。このため、従来のような連結ブロックの設置、生コンの準備という余分な工程が無くなり工期の短縮及びこれに伴うコスト低減を実現することができた。
【００１７】
さらに本考案に係るコンクリートブロック集合体用コンクリートブロックは、横連結する両端面に凸部を有することを特徴とするコンクリートブロック集合体用のコンクリートブロックとし、かつ、前記横連結する両端面にある凸部は、上下連結方向に沿った方向に貫通孔を有することを特徴とするコンクリートブロック用のコンクリートブロック連結ブロックを設置するとしたため、横方向のつながりはＵ字ボルトとナットで固定することができる。
【００１８】
実際の護岸工事では、複数のコンクリートブロック集合体を横連結する必要があり、上端部と下端部については横連結用ワイヤとコンクリートブロック用ワイヤをワイヤクリップにて連結し、コンクリートブロック開口部のワイヤを連結するための連結チェーンにて内部の連結を行うかわりに、横連結は凸部にある貫通孔にＵ字ボルトを通してナットで固定することができる。開口部の面積が大きく十分な作業スペースがあるため、護岸工事の際の作業が困難であるという問題を解決しつつ、Ｕ字ボルトとナットによる固定はコンクリートブロックとコンクリートブロックを最短距離で連結するものであるため、従来よりも優れた強度と一体性を確保することができる。
【００１９】
さらなる効果として、従来のコンクリートブロックと比較して開口部の面積が大きくなったため、開口部に客土を施すことにより、十分な緑化が可能となるとともに、通水性にも優れ、その上単位面積当たりの重量も軽減され経済的な護岸施工が可能となった。
【図面の簡単な説明】
【００２０】
【図１】コンクリートブロック集合体用コンクリートブロック
【図２】コンクリートブロック集合体
【図３】コンクリートブロック集合体の連結部の拡大図
【図４】コンクリートブロック集合体を縦横方向に連結した図
【考案を実施するための形態】
【００２１】
以下、本考案の実施例につき図１〜図４を参照して説明する。先ず、図１においてコンクリートブロック集合体用コンクリートブロック（１０）は、上下連結方向の両端面に凹部（１１）を、かつ、横連結方向の両端面に凸部（１２）を有している。本考案に係るコンクリートブロック集合体（１００）はコンクリートブロック集合体用コンクリートブロック（１０）を１列に並べてブロックマット化する。
【００２２】
図２に示すように、コンクリートブロック集合体（１００）は、２箇所のワイヤ用貫通孔（２０）が連結用ワイヤ（４０）で連通するように併設された複数個のコンクリートブロック集合体用コンクリートブロック（１０）と、ワイヤ用貫通孔（２０）を貫通する１本の連結用ワイヤ（４０）とから構成されている。連結されるコンクリートブロック集合体用コンクリートブロック（１００）の連結数は、搬送車両の運搬能力等に応じて適宜選定することができる。
【００２３】
コンクリートブロック集合体（１００）をブロックマット化する上記作業は通常は施設現場ではなく工場内で行われ、工場から作業現場にコンクリートブロック集合体（１００）を施設現場に運搬する。施設現場では法面整形後、運搬されたコンクリートブロック集合体（１００）を吊り金具用いて吊り下げ、所定の位置に設置することとなる。このようにして現場に必要な複数のコンクリートブロック集合体（１００）を設置していく。
【００２４】
コンクリートブロック集合体（１００）とコンクリートブロック集合体（１００）とをコンクリートブロックの上下連結する際は、図３に示すようにコンクリートブロック集合体用コンクリートブロック（１０）は連結方向の両側端部に凹部（１１）を有しているので、お互いのワイヤ余端部が、この凹部（１１）内にある空間に納まることとなる。従来はコンクリートブロック集合体用コンクリートブロック（１０）とコンクリートブロック集合体用コンクリートブロック（１０）との間の空間を無くすために連結ブロックを設置し、かつ、連結ブロック部が他のブロック部と比較して軽量にならないようにするために生コンを打設する必要があったのであるがその必要は無くなった。
【００２５】
さらに、コンクリートブロック集合体（１００）の横方向の連結は、コンクリートブロック集合体用コンクリートブロック（１０）がコンクリートブロック集合体（１００）の横連結する両端面に凸部（１２）を有しており、この凸部（１２）にある貫通穴を通じて、図４に示すように、Ｕ字ボルト（５０）とナット（５１）で固定することができる。コンクリートブロックとコンクリートブロックとを最短距離で連結するものであるため、従来よりも優れた法面保護資材としての強度と一体性を確保することができる。しかも、図４に示すように、コンクリートブロック同士を横方向に連結するための作業をするための十分な空間（６０）があり、従来技術と比較してコンクリートブロック集合体（１００）の横方向を連結する作業の作業性が改善された。
【００２６】
尚、本願発明のコンクリートブロック集合体用コンクリートブロックは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００２７】
本願発明のコンクリートブロック集合体用コンクリートブロックは、護岸工事や法面の補強工事において、吊上げ装置により一度に複数のコンクリートブロックを吊上げることができるようにしたコンクリートブロック集合体用コンクリートブロックに関する産業分野に利用することが出来る。
【符号の説明】
【００２８】
１０      コンクリートブロック集合体用コンクリートブロック
１１      凹部（コンクリートブロック集合体用コンクリートブロック）
１２      凸部（コンクリートブロック集合体用コンクリートブロック）
２０      ワイヤ用貫通孔
３０      U字ボルト用貫通孔
４０      連結用ワイヤ
４１      上下連結する端面
４２      横連結する端面
５０      U字ボルト
５１      ナット
６０      空間
１００    コンクリートブロック集合体
【図１】
0003165566.tif 000003
【図２】
0003165566.tif 000004
【図３】
0003165566.tif 000005
【図４】
0003165566.tif 000006